(57)【要約】【課題】生産性および画質を維持し、かつ省エネルギーでトナー像を定着する。【解決手段】画像形成装置は、複数色のトナーを記録材上に重ねることにより入力画像情報に基づくトナー像を形成する画像形成部と、記録材に形成されたトナー像を定着させる定着部と、入力画像情報から、記録材上に重ねられるトナーの量を算出するトナー量算出部と、算出されたトナー量に応じた量で、入力画像情報に基づくトナー像を形成するトナーの溶融を補助する補助用トナーを供給するように画像形成部を制御する制御部と、を備える。【選択図】図６
2018081174.tif 000002
【特許請求の範囲】
【請求項１】
複数色のトナーを記録材上に重ねることにより入力画像情報に基づくトナー像を形成する画像形成部と、
前記記録材に形成されたトナー像を定着させる定着部と、
前記入力画像情報から、前記記録材上に重ねられるトナーの量を算出するトナー量算出部と、
算出されたトナー量に応じた量で、前記入力画像情報に基づくトナー像を形成するトナーの溶融を補助する補助用トナーを供給するように前記画像形成部を制御する制御部と、
を備える画像形成装置。
【請求項２】
前記補助用トナーは、前記入力画像情報に基づくトナー像を形成するトナーよりも熱伝導率が高い高熱伝導性トナーである、
請求項１に記載の画像形成装置。
【請求項３】
前記制御部は、前記記録材に形成されるトナー像の最上位層の上に前記補助用トナーを供給するように、前記画像形成部を制御する、
請求項１または２に記載の画像形成装置。
【請求項４】
前記トナー量算出部は、前記記録材上に重ねられるトナーの量を単位領域毎に算出し、
前記制御部は、前記単位領域毎に前記補助用トナーを供給するか否かを決定し、供給すると決定された領域に前記補助用トナーを供給するように前記画像形成部を制御する、
請求項１から３のいずれかに記載の画像形成装置。
【請求項５】
前記制御部は、前記記録材上に重ねられるトナーの量が閾値を超えるか否かによって、前記補助用トナーを供給するか否かを決定し、供給すると決定された領域に前記補助用トナーを供給するように前記画像形成部を制御する、
請求項４に記載の画像形成装置。
【請求項６】
前記制御部は、前記トナー量算出部の算出結果により算出されたトナー量が多いほど前記補助用トナーの供給量を多くするように、前記画像形成部を制御する、
請求項１から５のいずれかに記載の画像形成装置。
【請求項７】
前記画像形成部は、前記入力画像情報に基づくトナー像を形成する第１のトナー形成ユニットと、前記補助用トナーからなるトナー像を形成する第２のトナー形成ユニットと、を備える、
請求項１から６のいずれかに記載の画像形成装置。
【請求項８】
前記第２のトナー形成ユニットは、前記補助用トナーを前記記録材に形成されるトナー像の最上位層の上に供給する位置に備えられている、
請求項７に記載の画像形成装置。
【請求項９】
前記高熱伝導性トナーは、金属系顔料を２０〜５０重量％の範囲で含有する、
請求項２に記載の画像形成装置。
【請求項１０】
前記高熱伝導性トナーは、前記金属系顔料と、結着樹脂と、定着離型剤と、帯電制御剤とを含む、
請求項９に記載の画像形成装置。
【請求項１１】
前記高熱伝導性トナーは、熱伝導率が１．５Ｗ／ｍＫ以上である、
請求項９または１０に記載の画像形成装置。
【請求項１２】
前記制御部は、記録材へのトナー付着量の制限が無いモードにおいて、前記補助用トナーを供給するように前記画像形成部を制御する、
請求項１から１１のいずれかに記載の画像形成装置。
【請求項１３】
前記画像形成部は、前記記録材にトナーを転写するための中間転写ベルトを有し、
前記制御部は、前記中間転写ベルトを介して前記補助用トナーを前記記録材上に供給するように前記画像形成部を制御する、
請求項１から１２のいずれかに記載の画像形成装置。
【請求項１４】
複数色のトナーを記録材上に重ねることにより入力画像情報に基づくトナー像を形成する画像形成装置における画像形成方法であって、
前記入力画像情報から、前記記録材上に重ねられるトナーの量を算出し、
算出されたトナー量に応じた量で、前記入力画像情報に基づくトナー像を形成するトナーの溶融を補助する補助用トナーを供給し、
前記記録材に供給されたトナー像および前記補助用トナーを定着させる、
画像形成方法。
【発明の詳細な説明】
【技術分野】
【０００１】
本発明は、画像形成装置および画像形成方法に関する。
【背景技術】
【０００２】
近年、フルカラーのトナー像を用紙上に形成する電子写真方式の画像形成装置（複写機、プリンター、ファクシミリ、これらの複合機）では、Ｙ（イエロー）、Ｍ（マゼンタ）、Ｃ（シアン）の３原色のトナーとＫ（黒）トナーを用いて、カラー再現を行う。
【０００３】
従来、ＹＭＣのトナー像を用いて混色を作像するとき、これらＹＭＣのトナーの総量が規定値を超える場合があり、かかる場合、定着プロセスにおいてトナーを用紙に固定するためのエネルギー（熱量）が多く必要になる。かかる方策として、用紙搬送速度を低下させて定着時間を十分に確保することが考えられるが、この場合、印刷の生産性が低下するという問題がある。
【０００４】
他方、印刷の生産性を落とさないように用紙搬送速度を維持するためには、定着プロセスにおいて、定着温度すなわちヒーターなどの加熱源の設定温度を上げる必要がある。しかしながら、このとき、ヒーターに近い側に位置するトナーと遠い側に位置するトナーとの間での熱吸収性の違いにより、定着不良（ホットオフセット）が発生するという問題がある。
【０００５】
また、電子写真方式の画像形成装置では、消費電力の内の多くが定着装置によって占められており、近年の省エネルギー化の要請に伴い定着部の消費電力削減が求められている。このため、定着部の定着温度を上げることは、消費電力が増加し、省エネルギー化の要請に応えることができない。
【０００６】
このような実情により、電子写真方式の画像形成装置では、ＹＭＣの有色トナーの付着量を減少させてトナーの総量を調整するために、ＵＣＲ（Ｕｎｄｅｒ  ｃｏｌｏｒ  ｒｅｍｏｖａｌ：下色除去）の処理を行うものがある。このＵＣＲの処理は、ＹＭＣ３原色の重なりからなるグレー成分に対して、Ｋ（黒）の成分で置き換えるものである。かかるＵＣＲ処理を行うことにより、付着されるトナーの総量が減少するため、定着性の改善に寄与することができる。しかしながら、ＵＣＲ処理を行う場合、本来ＹＭＣの３原色で表現可能な画像についてＫを加えて表現することから、例えば写真画像を出力するときに、黒色の深さ、黒色背景中の画像の精彩さなど低下してしまう、という問題がある。
【０００７】
特許文献１では、入力画像情報よりトナー付着量を予測し、定着温度を制御する技術が記載されている。
【先行技術文献】
【特許文献】
【０００８】
【特許文献１】特開２０１３−２５２１８号公報
【発明の概要】
【発明が解決しようとする課題】
【０００９】
他方、特許文献１に開示された技術は、トナー付着量が多い場合に定着温度を上げる構成であり、かかる方式では、熱エネルギーの消費量が多くなり、上述した省エネルギー化の要請に応えることができない。
【００１０】
本発明の目的は、生産性および画質を維持し、かつ省エネルギーでトナー像を定着することが可能な画像形成装置および画像形成方法を提供することである。
【課題を解決するための手段】
【００１１】
本発明に係る画像形成装置は、
複数色のトナーを記録材上に重ねることにより入力画像情報に基づくトナー像を形成する画像形成部と、
前記記録材に形成されたトナー像を定着させる定着部と、
前記入力画像情報から、前記記録材上に重ねられるトナーの量を算出するトナー量算出部と、
算出されたトナー量に応じた量で、前記入力画像情報に基づくトナー像を形成するトナーの溶融を補助する補助用トナーを供給するように前記画像形成部を制御する制御部と、
を備える。
【００１２】
本発明に係る画像形成方法は、
複数色のトナーを記録材上に重ねることにより入力画像情報に基づくトナー像を形成する画像形成装置における画像形成方法であって、
前記入力画像情報から、前記記録材上に重ねられるトナーの量を算出し、
算出されたトナー量に応じた量で、前記入力画像情報に基づくトナー像を形成するトナーの溶融を補助する補助用トナーを供給し、
前記記録材に供給されたトナー像および前記補助用トナーを定着させる。
【発明の効果】
【００１３】
本発明によれば、生産性および画質を維持し、かつ省エネルギーでトナー像を定着することができる。
【図面の簡単な説明】
【００１４】
【図１】本実施の形態における画像形成装置の全体構成を概略的に示す図である。
【図２】本実施の形態における画像形成装置の制御系の主要部を示す図である。
【図３】本実施の形態の画像形成装置における画像形成方法を説明するための図であり、ＹＭＣＫのトナー層の上に定着補助用トナーが付着した状態を模式的に示す側面図である。
【図４】本実施の形態の画像形成装置における画像形成方法を説明するための図であり、図４Ａは定着補助用のトナーが供給された用紙の状態を、図４Ｂは定着補助用のトナーが供給された用紙が定着部を通過する際の状態を、それぞれ模式的に示す。
【図５】定着部からの熱が高熱伝導性トナーを通じて有色トナーに伝えられる様子を模式的に示す図である。
【図６】本実施の形態の画像形成装置の画像形成時における制御フローチャートの一例を示す。
【図７】本実施の形態の画像形成装置の画像形成時における高伝導率トナーの供給量の制御例を説明するための図である。
【発明を実施するための形態】
【００１５】
以下、本実施の形態を、図面を参照して詳細に説明する。
【００１６】
図１は、本発明の実施の形態における画像形成装置１の全体構成を概略的に示す図である。図２は、本実施の形態における画像形成装置１の制御系の主要部を示す。図１、２に示す画像形成装置１は、電子写真プロセス技術を利用した中間転写方式のカラー画像形成装置である。すなわち、画像形成装置１は、感光体ドラム４１３上に形成されたＹ（イエロー）、Ｍ（マゼンタ）、Ｃ（シアン）、Ｋ（ブラック）の各色トナー像を中間転写ベルト４２１に一次転写し、中間転写ベルト４２１上で最大４色のトナー像を重ね合わせた後、用紙Ｓに二次転写することにより、トナー像を形成する。
【００１７】
また、画像形成装置１には、ＹＭＣＫの４色に対応する感光体ドラム４１３を中間転写ベルト４２１の走行方向に直列配置し、中間転写ベルト４２１に一回の手順で各色トナー像を順次転写させるタンデム方式が採用されている。
【００１８】
本実施の形態では、Ｙ（イエロー）、Ｍ（マゼンタ）、Ｃ（シアン）、Ｋ（ブラック）の４色のトナーは、入力画像データ（入力画像情報）に基づくトナー像を像担持体である中間転写ベルト４２１を介して記録材としての用紙Ｓに形成するためのトナーとして使用される。他方、本実施の形態では、用紙へのトナー付着量の制限が無いモードにおける画像形成時に、定着補助用のＳＰ（サポート）トナーを供給可能な構成となっており、かかる構成については後述する。
【００１９】
図２に示すように、画像形成装置１は、画像読取部１０、操作表示部２０、画像処理部３０、画像形成部４０、用紙搬送部５０、定着部６０等を備える。
【００２０】
制御部１００は、ＣＰＵ（Central  Processing  Unit）１０１、ＲＯＭ（Read  Only  Memory）１０２、ＲＡＭ（Random  Access  Memory）１０３等を備える。ＣＰＵ１０１は、ＲＯＭ１０２から処理内容に応じたプログラムを読み出してＲＡＭ１０３に展開し、展開したプログラムと協働して画像形成装置１の各ブロックの動作を集中制御する。このとき、記憶部７２に格納されている各種データが参照される。記憶部７２は、例えば不揮発性の半導体メモリ（いわゆるフラッシュメモリ）やハードディスクドライブで構成される。
【００２１】
制御部１００は、通信部７１を介して、ＬＡＮ（Local Area Network）、ＷＡＮ（Wide Area Network）等の通信ネットワークに接続された外部の装置（例えばパーソナルコンピューター）との間で各種データの送受信を行う。制御部１００は、例えば、外部の装置から送信された画像データを受信し、この画像データ（入力画像データ）に基づいて用紙Ｓにトナー像を形成させる。通信部７１は、例えばＬＡＮカード等の通信制御カードで構成される。
【００２２】
画像読取部１０は、ＡＤＦ（Auto  Document  Feeder）と称される自動原稿給紙装置１１および原稿画像走査装置１２（スキャナー）等を備えて構成される。
【００２３】
自動原稿給紙装置１１は、原稿トレイに載置された原稿Ｄを搬送機構により搬送して原稿画像走査装置１２へ送り出す。自動原稿給紙装置１１は、原稿トレイに載置された多数枚の原稿Ｄの画像（両面を含む）を連続して一挙に読み取ることができる。
【００２４】
原稿画像走査装置１２は、自動原稿給紙装置１１からコンタクトガラス上に搬送された原稿またはコンタクトガラス上に載置された原稿を光学的に走査し、原稿からの反射光をＣＣＤ（Charge Coupled Device）センサー１２ａの受光面上に結像させ、原稿画像を読み取る。画像読取部１０は、原稿画像走査装置１２による読取結果に基づいて入力画像データを生成する。この入力画像データには、画像処理部３０において所定の画像処理が施される。
【００２５】
操作表示部２０は、例えばタッチパネル付の液晶ディスプレイ（ＬＣＤ：Liquid Crystal Display）で構成され、表示部２１および操作部２２として機能する。表示部２１は、制御部１００から入力される表示制御信号に従って、各種操作画面、画像の状態表示、各機能の動作状況等の表示を行う。操作部２２は、テンキー、スタートキー等の各種操作キーを備え、ユーザーによる各種入力操作を受け付けて、操作信号を制御部１００に出力する。
【００２６】
画像処理部３０は、入力画像データに対して、初期設定またはユーザー設定に応じたデジタル画像処理を行う回路等を備える。例えば、画像処理部３０は、制御部１００の制御下で、階調補正データ（階調補正テーブル）に基づいて階調補正を行う。また、画像処理部３０は、入力画像データに対して、階調補正の他、色補正、シェーディング補正等の各種補正処理や、圧縮処理等を施す。これらの処理が施された画像データに基づいて、画像形成部４０が制御される。
【００２７】
画像形成部４０は、入力画像データに基づいて、Ｙ成分、Ｍ成分、Ｃ成分、Ｋ成分の各有色トナーによる画像を形成するための有色画像形成ユニット（第１のトナー形成ユニット）４１Ｙ、４１Ｍ、４１Ｃ、４１Ｋ、中間転写ユニット４２等を備える。また、画像形成部４０は、印刷ジョブの実行時に定着補助用のＳＰ（サポート）トナーを付与するための、定着補助用トナー形成ユニット（第２のトナー形成ユニット）４１ＳＰを備える。
【００２８】
これら有色画像形成ユニット４１Ｙ、４１Ｍ、４１Ｃ、４１Ｋ、および定着補助用トナー形成ユニット４１ＳＰは、相互に同様の構成を有する。図示及び説明の便宜上、共通する構成要素は同一の符号で示し、それぞれを区別する場合には符号にＹ、Ｍ、Ｃ、Ｋ、又はＳＰを添えて示す。図１では、定着補助用トナー形成ユニット４１ＳＰの構成要素についてのみ符号が付され、その他のユニット４１Ｙ、４１Ｍ、４１Ｃ、４１Ｋの構成要素については符号が省略されている。以下、これらのユニット４１Ｙ、４１Ｍ、４１Ｃ、４１Ｋ、および４１ＳＰについて、トナー形成ユニット４１と総称し、共通する構成について説明する。
【００２９】
トナー形成ユニット４１は、露光装置４１１、現像装置４１２、感光体ドラム４１３、帯電装置４１４、およびドラムクリーニング装置４１５等を備える。
【００３０】
感光体ドラム４１３は、例えばアルミニウム製の導電性円筒体（アルミ素管）の周面に、アンダーコート層（ＵＣＬ：Under Coat Layer）、電荷発生層（ＣＧＬ：Charge Generation Layer）、電荷輸送層（ＣＴＬ：Charge Transport Layer）を順次積層した負帯電型の有機感光体（ＯＰＣ：Organic Photo-conductor）である。電荷発生層は、電荷発生材料（例えばフタロシアニン顔料）を樹脂バインダー（例えばポリカーボネイト）に分散させた有機半導体からなり、露光装置４１１による露光により一対の正電荷と負電荷を発生する。電荷輸送層は、正孔輸送性材料（電子供与性含窒素化合物）を樹脂バインダー（例えばポリカーボネイト樹脂）に分散させたものからなり、電荷発生層で発生した正電荷を電荷輸送層の表面まで輸送する。
【００３１】
制御部１００は、感光体ドラム４１３を回転させる駆動モーター（図示略）に供給される駆動電流を制御することにより、感光体ドラム４１３を一定の周速度（例えば線速４６０ｍｍ／ｓｅｃ）で回転させる。
【００３２】
帯電装置４１４は、光導電性を有する感光体ドラム４１３の表面を一様に負極性に帯電させる。露光装置４１１は、例えば半導体レーザーで構成され、感光体ドラム４１３に対して各色成分の画像に対応するレーザー光を照射する。感光体ドラム４１３の電荷発生層で正電荷が発生し、電荷輸送層の表面まで輸送されることにより、感光体ドラム４１３の表面電荷（負電荷）が中和される。感光体ドラム４１３の表面には、周囲との電位差により各色成分の静電潜像が形成される。
【００３３】
現像装置４１２は、例えば二成分現像方式の現像装置であり、感光体ドラム４１３の表面に各色成分のトナーを付着させることにより静電潜像を可視化してトナー像を形成する。
【００３４】
ドラムクリーニング装置４１５は、感光体ドラム４１３の表面に摺接されるドラムクリーニングブレード等を有し、一次転写後に感光体ドラム４１３の表面に残存する転写残トナーを除去する。
【００３５】
中間転写ユニット４２は、中間転写ベルト４２１、一次転写ローラー４２２、複数の支持ローラー４２３、二次転写ローラー４２４、及びベルトクリーニング装置４２６等を備える。
【００３６】
中間転写ベルト４２１は、無端状ベルトで構成され、複数の支持ローラー４２３にループ状に張架される。複数の支持ローラー４２３のうちの少なくとも１つは駆動ローラーで構成され、その他は従動ローラーで構成される。例えば、Ｋ成分用の一次転写ローラー４２２よりもベルト走行方向下流側に配置されるローラー４２３Ａが駆動ローラーであることが好ましい。これにより、一次転写部におけるベルトの走行速度を一定に保持しやすくなる。駆動ローラー４２３Ａが回転することにより、中間転写ベルト４２１は矢印Ａ方向に一定速度で走行する。
【００３７】
一次転写ローラー４２２は、各色成分の感光体ドラム４１３に対向して、中間転写ベルト４２１の内周面側に配置される。中間転写ベルト４２１を挟んで、一次転写ローラー４２２が感光体ドラム４１３に圧接されることにより、感光体ドラム４１３から中間転写ベルト４２１へトナー像を転写するための一次転写ニップが形成される。
【００３８】
二次転写ローラー４２４は、駆動ローラー４２３Ａのベルト走行方向下流側に配置されるバックアップローラー４２３Ｂに対向して、中間転写ベルト４２１の外周面側に配置される。中間転写ベルト４２１を挟んで、二次転写ローラー４２４がバックアップローラー４２３Ｂに圧接されることにより、中間転写ベルト４２１から用紙Ｓへトナー像を転写するための二次転写ニップが形成される。
【００３９】
一次転写ニップを中間転写ベルト４２１が通過する際、感光体ドラム４１３上のトナー像が中間転写ベルト４２１に順次重ねて一次転写される。具体的には、一次転写ローラー４２２に一次転写バイアスを印加し、中間転写ベルト４２１の裏面側（一次転写ローラー４２２と当接する側）にトナーと逆極性の電荷を付与することにより、トナー像は中間転写ベルト４２１に静電的に転写される。
【００４０】
その後、用紙Ｓが二次転写ニップを通過する際、中間転写ベルト４２１上のトナー像が用紙Ｓに二次転写される。具体的には、二次転写ローラー４２４に二次転写バイアスを印加し、用紙Ｓの裏面側（二次転写ローラー４２４と当接する側）にトナーと逆極性の電荷を付与することにより、トナー像は用紙Ｓに静電的に転写される。トナー像が転写された用紙Ｓは定着部６０に向けて搬送される。
【００４１】
ベルトクリーニング装置４２６は、中間転写ベルト４２１の表面に摺接するベルトクリーニングブレード等を有し、二次転写後に中間転写ベルト４２１の表面に残留する転写残トナーを除去する。なお、二次転写ローラー４２４に代えて、二次転写ローラーを含む複数の支持ローラーに、二次転写ベルトがループ状に張架された構成（いわゆるベルト式の二次転写ユニット）を採用してもよい。
【００４２】
定着部６０は、用紙Ｓのトナー像が形成されている面（定着面）側に配置される定着面側部材を有する上側定着部６０Ａ、用紙Ｓの裏面（定着面の反対の面）側に配置される裏面側支持部材を有する下側定着部６０Ｂ、及び加熱源（図示せず）等を備える。定着面側部材に裏面側支持部材が圧接されることにより、用紙Ｓを狭持して搬送する定着ニップが形成される。定着部６０は、トナー像が二次転写され、搬送されてきた用紙Ｓを定着ニップで加熱、加圧することにより、用紙Ｓにトナー像を定着させる。定着部６０は、定着器Ｆ内にユニットとして配置される。
【００４３】
定着部６０は、トナー像が二次転写され、搬送されてきた用紙Ｓを定着ニップで加熱、加圧することにより、用紙Ｓにトナー像を定着させる。定着部６０は、定着器Ｆ内にユニットとして配置される。また、定着器Ｆには、エアを吹き付けることにより、定着面側部材から用紙Ｓを分離させるエア分離ユニット（図示略）が配置されている。
【００４４】
上側定着部６０Ａは、定着面側部材である無端状の上定着ベルト６１、上加熱ローラー６２、および上加圧ローラー６３を有する（ベルト加熱方式）。上定着ベルト６１は、上加熱ローラー６２と上加圧ローラー６３とに所定のベルト張力（例えば、４００Ｎ）で張架されている。上定着ベルト６１および上加圧ローラー６３は、後述する下定着ベルト６４および下加圧ローラー６６とともに、定着ニップを形成する。
【００４５】
下側定着部６０Ｂは、上側定着部６０Ａと類似の構成を有する。具体的には、下側定着部６０Ｂは、裏面側支持部材である無端状の下定着ベルト６４、下加熱ローラー６５、および下加圧ローラー６６を有する（ベルト加熱方式）。下定着ベルト６４は、下加熱ローラー６５と下加圧ローラー６６とに所定のベルト張力（例えば、４００Ｎ）で張架されている。
【００４６】
上側定着部６０Ａにおける上定着ベルト６１は、トナー像が形成された用紙Ｓに接触して、当該トナー像を用紙Ｓに定着温度（例えば、１６０〜２００℃）で加熱定着する。ここで、定着温度とは、用紙Ｓ上のトナーを溶融するのに必要な熱量を供給しうる温度であり、画像形成される用紙Ｓの紙種等によって異なる。上加熱ローラー６２および下加熱ローラー６５は、上定着ベルト６１および下定着ベルト６４をそれぞれ加熱する。これら加熱ローラー６２および６５は、懸架される定着ベルト６１および６４を加熱する加熱源（ハロゲンヒーター）をそれぞれ内蔵している。かかる加熱源の温度は、制御部１００によって制御される。それぞれの加熱源によって加熱ローラー６２および６５が加熱され、その結果、対応する定着ベルト６１および６４が加熱される。
【００４７】
上加圧ローラー６３は、定着部６０における主駆動源（図示せず）により駆動回転する下加圧ローラー６６に、上定着ベルト６１および下定着ベルト６４を介して圧接される。制御部１００は、主駆動源（駆動モーター）を制御して、下加圧ローラー６６を図１中の反時計回り方向に回転させる。駆動モーターの駆動制御（例えば、回転のオン／オフ、周速度等）は、制御部１００によって行われる。下加熱ローラー６５の加熱源が発熱することにより、下定着ベルト６４を通じて下加圧ローラー６６は加熱される。制御部１００は、加熱源に供給する電力を制御し、下加圧ローラー６６を所定温度（例えば、８０〜１２０℃）に制御する。
【００４８】
下加圧ローラー６６は、上定着ベルト６１および下定着ベルト６４を介して上加圧ローラー６３に所定の定着荷重（例えば、２６５０Ｎ）で圧接される。このようにして、上定着ベルト６１および上加圧ローラー６３と下定着ベルト６４および下加圧ローラー６６との間には、用紙Ｓを狭持して搬送する定着ニップが形成される。下加圧ローラー６６が回転すると、定着ベルト６１が時計回り方向に従動回転する。これに伴い、上加圧ローラー６３は、時計回り方向に従動回転する。
【００４９】
用紙搬送部５０は、給紙部５１、排紙部５２および搬送経路部５３等を備える。給紙部５１を構成する３つの給紙トレイユニット５１ａ〜５１ｃには、斤量やサイズ等に基づいて識別された用紙Ｓ（規格用紙、特殊用紙）が予め設定された種類ごとに収容される。搬送経路部５３は、レジストローラー対５３ａ等の複数の搬送ローラー対を有する。
【００５０】
給紙トレイユニット５１ａ〜５１ｃに収容されている用紙Ｓは、最上部から一枚ずつ送出され、搬送経路部５３により画像形成部４０に搬送される。このとき、レジストローラー対５３ａが配設されたレジストローラー部により、給紙された用紙Ｓの傾きが補正されるとともに搬送タイミングが調整される。そして、画像形成部４０において、中間転写ベルト４２１のトナー像が用紙Ｓの一方の面に一括して二次転写され、定着部６０において定着工程が施される。画像形成された用紙Ｓは、排紙ローラー５２ａを備えた排紙部５２により機外に排紙される。
【００５１】
ところで、かかる電子写真方式の画像形成装置でカラー印刷を行う場合、生産性の確保と省エネルギー化を図るために、上述したＵＣＲ（Ｕｎｄｅｒ  ｃｏｌｏｒ  ｒｅｍｏｖａｌ：下色除去）の処理を行うことがある。この場合、トナー量制限を設け、ＹＭＣのトナーが重なるグレー成分に対して、墨入れとしてＫのトナーに置き換えるように画像形成の制御を行う。かかる制御により、例えば、本来ＹＭＣのトナーを１００％ずつ合計３００％載せる場合に、ＹＭＣのトナーを８０％ずつ合計２４０％載せかつＫのトナーを少量載せるようにＵＣＲの処理を行うことで、一般的な色空間を変えることなくトナーの消費量を抑えることができる。
【００５２】
しかしながら、かかるＵＣＲの処理を行うと、画像の再現性や精彩さの低下、黒領域やシャドー部の深みや奥行きの低下などが生じ、特にシャドー部の再現性が顕著に悪化する、という問題があった。すなわち、ＵＣＲ処理を行う場合、本来ＹＭＣの３原色で表現可能な画像についてＫを加えて表現することから、例えば写真画像を用紙上に出力するときに、黒色の深さ、黒色背景中の画像の精彩さなどが低下してしまう、という問題がある。このため、ＵＣＲの処理では、写真画像の印刷などの高い色再現性を要求される場合にユーザーの要求に応えることができないという問題があった。
【００５３】
そこで、本実施の形態では、画像形成プロセスにおいて、用紙上に重ねられるトナーの溶融を補助する補助用トナーとしての定着補助用トナーＳＰを、用紙上に重ねられるトナーの量に応じた量で供給する処理を行う。
【００５４】
ここで、定着補助用トナーＳＰは、他のＹＭＣＫのトナーの溶融を補助し定着性を確保ないし向上させるために、入力画像データに基づくトナー像を形成するトナー（以下、単に有色トナーともいう。）よりも熱伝導率が高い高熱伝導性トナーを用いることが望ましい。かかる高熱伝導性トナーは、例えば金属系顔料を含有することにより実現することができる。
【００５５】
本実施の形態では、定着補助用トナーＳＰとして、黒色の高熱伝導性トナーとしており、金属系顔料と、結着樹脂と、定着離型剤と、帯電制御剤とを含む構成とした。ここで、金属系顔料としては、マグネタイトを使用することができる。
【００５６】
定着補助用トナーＳＰの成分に金属系顔料を含める場合、金属系顔料の含有量（割合）は、２０重量％以上とすることが望ましい。金属系顔料の含有量が２０重量％に満たないと、有色トナーの溶融ないし定着を補助する効果が少なくなり、定着性が悪くなる。
【００５７】
金属系顔料の含有量（割合）の上限は、定着補助用トナーＳＰの色や用紙上の付与位置などによっても変わり得るが、本実施の形態では、５０重量％以下とすることが望ましい。金属系顔料の含有量が５０重量％を超えると、目視による画像の濁りが目立つようになる。
【００５８】
上記のような構成とすることで、有色トナーの熱伝導率が０．１５Ｗ／ｍＫ程度である場合、定着補助用トナーＳＰの熱伝導率を１．３〜３．２Ｗ／ｍＫ程度に高くすることができる。
【００５９】
以下、本実施の形態の画像形成装置１における印刷ジョブ実行時の制御について説明する。制御部１００は、印刷ジョブの実行時に、入力画像データから、用紙Ｓ上に重ねられる入力画像用の有色トナー（ＹＭＣＫ）の供給量ないし付着量（以下、単にトナー量ともいう。）を算出し、算出されたトナー量に応じた量の定着補助用トナーＳＰを供給するように画像形成部４０を制御する。
【００６０】
かかる制御を行った場合の定着補助用トナーＳＰが供給された状態を図３に模式的に示す。図３では、用紙Ｓ上に、下からＫＣＭＹのトナーが積層され、かつ最上層のＹトナーの上に黒色の定着補助用トナーＳＰが付着している状態を示している。
【００６１】
本実施の形態では、中間転写ベルト４２１の回転方向における最上流側に定着補助用トナー形成ユニット４１ＳＰが配置されているため、中間転写ベルト４２１の最下層側から、定着補助用トナーＳＰ、Ｙトナー、Ｍトナー、Ｃトナー、Ｋトナーの順で重ねられて一次転写される。そして、中間転写ベルト４２１上に一次転写されたトナーが二次転写ニップを通過する用紙Ｓに二次転写されることで、図４Ａに示すように、有色トナーの最上層のＹトナーの上に黒色の定着補助用トナーＳＰが付着した用紙Ｓが定着部６０に向けて搬送される。
【００６２】
かかる用紙Ｓは、図４Ｂに示すように、定着部６０を通過する際に、所定温度に加熱されている定着面側部材（上加圧ローラー６３等）と裏面側支持部材（下加圧ローラー６６等）とによる定着ニップにより、熱と圧力が加えられる。このとき、定着部６０からの熱が定着補助用トナー（高熱伝導性トナー）ＳＰに蓄熱され（図５参照）、個々の定着補助用トナーＳＰの周辺のトナーが溶けやすくなり、相対的に熱伝導率の低い有色トナーの溶融が補助される。すなわち、定着部６０の熱が高熱伝導性トナーを通じて有色トナーにより多く伝導され、有色トナーは、より溶けやすくなり、用紙への付着性が高まる。したがって、本実施の形態によれば、有色トナーの定着性の向上を図ることが可能となる。
【００６３】
また、本実施の形態では、より熱源に近い、有色トナー層の最上部分に熱伝導率の高い定着補助用トナーＳＰを供給することで、定着部６０から供給される熱の損失を可及的に抑えながら、定着部６０の熱が定着補助用トナーＳＰを通じて有色トナーに伝達され、有色トナーの溶融が補助される。
【００６４】
また、本実施の形態によれば、トナー量が多い場合であっても用紙搬送速度を下げる或いは定着温度を上げる必要がないため、生産性を維持し、有色トナーの定着性を向上させつつ、省エネルギー化の要請に応えることができる。
【００６５】
また、本実施の形態によれば、トナー量が多い場合に、トナー総量を減らすための上述したＵＣＲの処理を行う必要が無いので、例えば風景や顔写真などの画像をフルカラー印刷する場合など、高い色再現性が要求される場合でも、画像の深みや精彩を高い精度で再現することが可能となる。
【００６６】
このように、本実施の形態によれば、生産性および画質を維持し、かつ省エネルギーでトナー像を定着することが可能となる。
【００６７】
図５の例では、定着補助用トナーＳＰの粒子径がＹＭＣの有色トナーの粒子径よりも大きいものを用いた場合を模式的に示しているが、かかる粒子径の大小関係は、特に制限されない。
【００６８】
定着補助用トナーＳＰの単位面積当たりの供給量は、有色トナーの定着性を確保する観点からは、０．０５ｇ／ｍ２以上とすることが好ましい。
【００６９】
定着補助用トナーＳＰの単位面積当たりの供給量の上限は、特に制限されず、色や用途等に応じて適宜変更することができる。他方、本実施の形態のように、定着補助用トナーＳＰを黒色とし且つ用紙に形成されるトナー像の最上位層の上に付与する構成とする場合、供給量が多くなると、目視で濁りが目立つようになる。このため、本実施の形態では、定着補助用トナーＳＰを０．０８ｇ／ｍ２以下とすることが好ましい。
【００７０】
以下、印刷ジョブの実行時に制御部１００が行う制御例について、図６のフローチャートを参照して説明する。
【００７１】
ステップＳ１において、制御部１００は、ユーザーにより入力操作された操作信号を参照して、所定の場合にトナー付着量制限モードをオフにする。例えば、操作信号が、写真の画像をフルカラーで印刷する設定の場合に、制御部１００は、トナー付着量制限モードをオフにする。本実施の形態では、トナー付着量制限モードがオフになった場合、上述したＵＣＲの処理は行われない。
【００７２】
続くステップＳ２において、制御部１００は、印刷しようとする１枚分の用紙Ｓの入力画像データを取得してステップＳ３に移行する。ステップＳ３において、制御部１００は、取得した入力画像データを解析して、用紙Ｓ上に重ねられるトナーの付与量を、単位領域毎に算出する。ここで、単位領域とは、画像形成領域の全体を単位面積毎に区分けしたｎ個の領域の内の一つの領域をいう。
【００７３】
続くステップＳ４において、制御部１００は、算出されたトナーの付与量が閾値を超える領域があるか否かを判定する。本実施の形態では、閾値に関するデフォルト値が２４０％に設定されている。かかる２４０％の値は、Ｙ、Ｍ、およびＣのトナーを各々最大量（１００％）ずつ用紙Ｓに付与する場合のトナー最大付与量を３００％とし、かかるトナー最大付与量の８割の付与量に相当する値である。
【００７４】
なお、ステップＳ４の閾値に関する値は、操作表示部２０の操作などにより変更可能な構成としてもよい。
【００７５】
制御部１００は、算出されたトナーの付与量が２４０％以上の領域があると判定すると（ステップＳ４、Ｙｅｓ）、ステップＳ５に移行し、定着補助用トナーを供給する定着補助モードで画像形成の制御を行う。他方、制御部１００は、算出されたトナーの付与量が２４０％以上の領域がないと判定すると（ステップＳ４、Ｎｏ）、ステップＳ６に移行し、定着補助用トナーの供給を行わない通常モードで画像形成の制御を行う。
【００７６】
定着補助モードであるステップＳ５において、制御部１００は、トナーの付与量が閾値を超える領域に対応する用紙Ｓの領域に、高熱伝導性トナーを付与するように画像形成部４０を制御する。より具体的には、制御部１００は、トナーの付与量が閾値を超える用紙Ｓの領域に対応する中間転写ベルト４２１上の領域に、高熱伝導性トナーを付与した後にＹＭＣＫのいずれか３種以上のトナーを付与するように、各トナー形成ユニット４１を制御する。
【００７７】
また、ステップＳ５において、制御部１００は、その他の領域、すなわちトナーの付与量が閾値以下である用紙Ｓの領域に対応する中間転写ベルト４２１上の領域に、高熱伝導性トナーを付与せずにＹＭＣＫのいずれか３種以上のトナーを付与するように、各トナー形成ユニット４１を制御する。
【００７８】
高熱伝導性トナーを付与する場合の付与量の制御の一例を図７に示す。図７では、横軸に有色トナーの付着量を、縦軸に定着補助用トナーの供給量を示している。この例では、トナーの付与量の閾値に関する値を２４０％と２８０％の２つに設定し、有色トナーの付着量が多くなると高熱伝導性トナーの付与量を増やすようになっている。
【００７９】
すなわち、ステップＳ５の定着補助モードにおいて、制御部１００は、中間転写ベルト４２１および用紙Ｓに対するトナーの付着量が２４０％未満の画像領域については、高熱伝導性トナーを付与する必要がないものと見なし、有色トナーだけ供給するように各トナー形成ユニット４１を制御する。また、制御部１００は、中間転写ベルト４２１および用紙Ｓに対するトナーの付着量が２４０％以上２８０％未満の画像領域については、高熱伝導性トナーを０．０５ｇ／ｍ２付与するように各トナー形成ユニットを制御する。さらに、制御部１００は、中間転写ベルト４２１および用紙Ｓに対するトナーの付着量が２８０％以上の画像領域については、高熱伝導性トナーを０．０８ｇ／ｍ２付与するように各トナー形成ユニット４１を制御する。
【００８０】
高熱伝導性トナーの付与量の制御の他の例として、トナーの付与量が２４０％を超える場合、当該超える量に比例して単位面積当たりの高熱伝導性トナーの付与量を増やすようにしてもよい。
【００８１】
通常モードであるステップＳ６において、制御部１００は、トナーを付与する用紙Ｓの全ての領域に対応する中間転写ベルト４２１上の領域に、高熱伝導性トナーを付与せずにＹＭＣＫのいずれか１種以上のトナーを付与するように、各トナー形成ユニットを制御する。
【００８２】
ステップＳ５またはステップＳ６の後のステップＳ７において、制御部１００は、印刷ジョブが終了したか否かを判定する。制御部１００は、印刷ジョブが終了したと判定した場合（ステップＳ７、Ｙｅｓ）、上述した一連の処理を終了する。他方、制御部１００は、印刷ジョブが終了していないと判定した場合（ステップＳ７、Ｎｏ）、ステップＳ２に戻り、次に印刷する用紙ＳについてステップＳ２以降の画像形成に関する制御を続行する。
【００８３】
制御部１００によって上述のような画像形成の制御を行うことにより、高熱伝導性トナーの消費量が抑えられ、かつ、後の定着プロセスにおいて定着温度を高める或いは用紙搬送速度を下げることなく、深みや奥行きを持たせた色再現性の高い画像を用紙Ｓ上に出力することが可能となる。
【００８４】
上述した実施の形態では、有色トナーの溶融を補助する高熱伝導性トナーとしてＫ（黒色）トナーを例示した。他方、かかる高熱伝導性トナーは、黒色以外の色とすることもできる。
【００８５】
例えば、Ｃ（シアン）トナーの場合、コバルトや酸化銅などの金属系顔料を成分に含めることで、熱伝導性を高くすることができる。また、Ｍ（マゼンタ）トナーの場合、ベンガラ（酸化鉄）などの金属系顔料を成分に含めることで、熱伝導性を高くすることができる。また、Ｙ（イエロー）トナーの場合、黄色酸化鉄などの金属系顔料を成分に含めることで、熱伝導性を高くすることができる。また、白色トナーの場合、ＴｉＯ（酸化チタン）などの金属系顔料を成分に含めることで、熱伝導性を高くすることができる。上述した種々の顔料は、単独あるいは組み合わせて使用することができる。
【００８６】
他方、例えば写真の画像を印刷する場合などで、深みや奥行きのある画像を用紙Ｓ上に出力したい場合には、定着補助用のトナーは、黒色あるいは黒色に近い暗い色とすることが好ましい。
【００８７】
上述した実施の形態では、定着補助用のトナーを供給するユニット（第２のトナー形成ユニット）は、当該トナーを用紙に形成されるトナー像の最上位層の上に付与するように、中間転写ベルト４２１の回転方向における有色（ＹＭＣＫ）トナーの最上流に配置される構成とした。他方、定着補助用のトナーを供給するユニットは、例えば、Ｙトナーを供給するユニットとＭトナーを供給するユニットとの間の位置に配置されることもできる。
【００８８】
また、上述した実施の形態では、定着補助用のトナーを供給するユニット（第２のトナー形成ユニット）を一つ設けた構成としたが、かかるユニットを複数個設けてもよい。
【００８９】
また、他の構成例として、入力画像データに基づく画像を形成するための有色画像形成ユニット４１、例えば用紙Ｓの最上位に形成されるＹトナーを供給する有色画像形成ユニット４１Ｙから定着補助用のトナー（黄色酸化鉄などを含有した黄色のトナー）を供給する構成としてもよい。
【００９０】
他方、上述したような金属系顔料を含有させた高熱伝導性トナーは、色味の点で、通常の有色トナーよりも劣る傾向がある。したがって、色再現性を可及的に向上させる観点からは、本実施の形態のように、入力画像データに基づく画像を形成するための有色画像形成ユニット４１とは別に専用の定着補助用トナー形成ユニット４１ＳＰを設け、必要に応じて定着補助用のトナーを供給することが好ましい。
【実施例】
【００９１】
以下、本発明を適用した実施例（実施例１および実施例２）を説明する。本発明者らは、上述した実施の形態の構成を備えた画像形成装置１を用いて、色再現性およびトナー定着性についての試験を行った。
【００９２】
以下の各実施例および比較例に共通する条件として、画像形成装置における感光体ドラムの線速を４６０ｍｍ／ｓｅｃ、上定着ベルトの加熱温度を１６８℃、下定着ベルトの加熱温度を８０℃に設定した。また、各実施例では、定着補助用のトナーとして、マグネタイトの顔料を含有した黒色の高熱伝導性トナーを用いた。
【００９３】
（実施例１）
実施例１では、画像形成時の制御として、トナー総量が２４０％、２５０％、２６０％、および２７０％のＹＭＣ画像に対して、定着補助用の高熱伝導性トナーを０．０５ｇ／ｍ２供給して印刷した。また、トナー総量が２８０％、２９０％、３００％のＹＭＣ画像に対して、上述した定着補助用の高熱伝導性トナー（黒色）を０．０８ｇ／ｍ２供給して印刷し、各々の印刷物について色再現性およびトナー定着性の試験を行った。
【００９４】
また、これらに対する比較例として、定着補助用トナーを付与しないこと以外は実施例と同様の条件で試験を行った。
【００９５】
色再現性の評価は、目視により行い、印刷された画像に濁りが認識できなければ○、濁りが認識できる場合は×とした。
【００９６】
トナー定着性の評価は、画像を印刷した用紙の印刷面に対して、綺麗な用紙（白紙）を擦り合わせて試験を行い、かかる試験の前後における白紙の汚れの度合いを評価した。具体的には、紙の汚れの値として、以下の数式（１）に従って算出した。
紙の汚れΔＬ＝試験後の汚れた紙の明度Ｌ−試験前の紙の明度Ｌ・・・（数式（１））
【００９７】
そして、数式（１）に従った算出の結果、ΔＬが０．５未満であれば汚れなく良好なレベル（○）、ΔＬが０．５以上１．５未満であれば汚れはあるが実用上は問題ない許容レベル（△）、ΔＬが１．５以上であれば許容できないレベルの汚れ（×）と判定した。
【００９８】
実施例１および比較例における実験結果を表１に示す。
【００９９】
【表１】
2018081174.tif 000003
【０１００】
表１に示すように、実施例１では、いずれの場合も色再現性および定着性が良好であった。これに対して、定着補助用トナーを付与しない比較例では、トナー総量が２４０％の場合は色再現性および定着性が良好であったが、トナー総量が２５０％に増えると定着性が低下し、トナー総量が２６０％以上になると許容できないレベルの汚れが発生した。
【０１０１】
（実施例２）
実施例２では、マグネタイトの顔料の含有量を種々の範囲、具体的には１８重量％、２０重量％、２６重量％、４２重量％、５０重量％、５２重量％とした６種類の定着補助用の黒色トナーを作り、実施例１と同様の制御の設定で実験を行った。
【０１０２】
すなわち、実施例２では、画像形成時の制御として、トナー総量が２４０％、２５０％、２６０％、および２７０％のＹＭＣ画像に対して、上述の定着補助用の黒色トナーを０．０５ｇ／ｍ２供給して印刷した。また、トナー総量が２８０％、２９０％、３００％のＹＭＣ画像に対して、上述した定着補助用の黒色トナーを０．０８ｇ／ｍ２供給して印刷し、各々の印刷物について色再現性およびトナー定着性の試験を行った。色再現性およびトナー定着性の評価は、実施例１と同一である。
【０１０３】
実施例２における実験結果を表２に示す。
【０１０４】
【表２】
2018081174.tif 000004
【０１０５】
表２に示すように、マグネタイトの顔料の含有量を２０〜５０重量％の範囲とした場合、いずれも色再現性および定着性が良好であった。なお、マグネタイトの顔料の含有量を１８重量％とした場合、定着性の点で、許容レベルではあるが若干の汚れが生じた。他方、マグネタイトの顔料の含有量を５２重量％とした場合、色再現性の点で、許容レベルではあるが若干の濁りが認識された。
【０１０６】
以上のように、本発明を適用した画像形成装置および画像形成方法によれば、生産性および画質を維持し、かつ省エネルギーでトナー像を定着することが可能な画像形成装置および画像形成方法を提供することができる。
【０１０７】
上記実施の形態では、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【０１０８】
１  画像形成装置
１０  画像読取部
２０  操作表示部
３０  画像処理部
４０  画像形成部
４１  画像形成ユニット（トナー形成ユニット）
４１Ｙ，４１Ｍ，４１Ｃ，４１Ｋ  有色画像形成ユニット（第１のトナー形成ユニット）
４１ＳＰ  定着補助用トナー形成ユニット（第２のトナー形成ユニット）
５０  用紙搬送部
６０  定着部
６０Ａ  上側定着部
６０Ｂ  下側定着部
６１  上定着ベルト
６２  上加熱ローラー
６３  上加圧ローラー
６４  下定着ベルト
６５  下加熱ローラー
６６  下加圧ローラー
１００  制御部（トナー量算出部）
Ｓ  用紙（記録材）
ＳＰ  定着補助用トナー（補助用トナー）
【図１】
2018081174.tif 000005
【図２】
2018081174.tif 000006
【図３】
2018081174.tif 000007
【図４】
2018081174.tif 000008
【図５】
2018081174.tif 000009
【図６】
2018081174.tif 000010
【図７】
2018081174.tif 000011